(57)【要約】【課題】嵌合部の視認性を向上することを課題とする。【解決手段】超音波プローブは、超音波プローブと穿刺アダプタとを嵌合させる嵌合部を備え、嵌合を誘導するための誘導情報が、嵌合を行う操作者に対して提示されるように付される。例えば、誘導情報として、嵌合部又は嵌合部近傍の領域を、超音波プローブの色とは異なる色で着色する。超音波プローブの色とは異なる色には、例えば、医学的に特定の意味を有する色以外の色が選択される。【選択図】図６
2011218016.tif 000002
【特許請求の範囲】
【請求項１】
超音波プローブと穿刺アダプタとを嵌合させる嵌合部を備え、
前記嵌合を誘導するための誘導情報が、該嵌合を行う操作者に対して提示されるように付されたことを特徴とする超音波プローブ。
【請求項２】
前記誘導情報として、前記嵌合部または前記嵌合部近傍の領域を、前記超音波プローブの色とは異なる色で着色することを特徴とする請求項１に記載の超音波プローブ。
【請求項３】
前記誘導情報として、前記嵌合部または前記嵌合部近傍の領域に、前記超音波プローブの色とは異なる色の印を付すことを特徴とする請求項１に記載の超音波プローブ。
【請求項４】
前記印は、前記嵌合部を指し示す矢印であることを特徴とする請求項３に記載の超音波プローブ。
【請求項５】
前記印は、前記超音波プローブの外面のうち前記操作者に視認されやすい面に付された印であって前記嵌合部の位置を示唆する矢印であることを特徴とする請求項３に記載の超音波プローブ。
【請求項６】
前記誘導情報として、前記超音波プローブと前記穿刺アダプタとが前記嵌合部にて嵌合された状態を表現する情報を、該超音波プローブの色とは異なる色で付すことを特徴とする請求項１に記載の超音波プローブ。
【請求項７】
前記情報は、前記超音波プローブに描かれた前記穿刺アダプタの線画であることを特徴とする請求項６に記載の超音波プローブ。
【請求項８】
前記誘導情報として、前記穿刺アダプタが前記嵌合部に嵌合される際の前記超音波プローブ上における該穿刺アダプタの位置を示す情報を、該超音波プローブの色とは異なる色で付すことを特徴とする請求項１に記載の超音波プローブ。
【請求項９】
前記超音波プローブの色とは異なる色は、医学的に特定の意味を有する色以外の色であることを特徴とする請求項２〜８のいずれか一つに記載の超音波プローブ。
【発明の詳細な説明】
【技術分野】
【０００１】
本発明は、超音波プローブに関する。
【背景技術】
【０００２】
超音波診断装置は、超音波プローブを介して被検体に対して超音波を送波するとともに反射波を受波し、受波した超音波信号に基づいて超音波画像を生成する装置である。近年、超音波診断装置を用いて組織の採取や治療を行う穿刺術が行われている。穿刺術においては、超音波プローブに設けられた嵌合部と、穿刺アダプタに設けられた嵌合部とを嵌合させることによって、超音波プローブに穿刺アダプタを装着する。そして、医師などの操作者が、被検体の超音波画像を観察しながら穿刺アダプタを介して穿刺針を挿入することで、被検体に対して穿刺針を挿入する。
【０００３】
従来、かかる穿刺術においては、感染防止の目的で、超音波プローブをシース（「プローブカバー」などとも称する）で覆うことが一般的である。この場合には、穿刺アダプタの装着は、超音波プローブをシースで覆った上で、超音波プローブに設けられた嵌合部と穿刺アダプタに設けられた嵌合部とを嵌合させることで行われる（特許文献１など）。なお、穿刺アダプタの一部分までシースで覆うこともある。
【先行技術文献】
【特許文献】
【０００４】
【特許文献１】特開２００９−７２６０４号公報
【発明の概要】
【発明が解決しようとする課題】
【０００５】
しかしながら、上述した従来の技術では、超音波プローブをシースで覆うことにより、超音波プローブに設けられた嵌合部の視認性が低下する結果、穿刺アダプタを装着する際の操作性が低下するという課題があった。超音波プローブは、例えば白色を基調とする色であることが多いが、シースが、白色である場合も、あるいは、着色されている場合も、同様に課題となる。
【０００６】
本発明は、上記に鑑みてなされたものであって、嵌合部の視認性を向上することが可能な超音波プローブを提供することを目的とする。
【課題を解決するための手段】
【０００７】
上述した課題を解決し、目的を達成するために、請求項１に記載の超音波プローブは、超音波プローブと穿刺アダプタとを嵌合させる嵌合部を備え、前記嵌合を誘導するための誘導情報が、該嵌合を行う操作者に対して提示されるように付されたことを特徴とする。
【発明の効果】
【０００８】
請求項１に記載の本発明によれば、嵌合部の視認性を向上することが可能になるという効果を奏する。
【図面の簡単な説明】
【０００９】
【図１】図１は、実施例１に係る超音波プローブの外観を示す図である。
【図２】図２は、実施例１に係る超音波プローブを説明するための図である。
【図３】図３は、実施例１に係る穿刺アダプタを説明するための図である。
【図４】図４は、実施例１に係る穿刺アダプタの装着を説明するための図である。
【図５】図５は、実施例１に係る穿刺アダプタの装着を説明するための図である。
【図６】図６は、実施例１に係るガイド情報を説明するための図である。
【図７】図７は、実施例１に係るガイド情報を説明するための図である。
【図８】図８は、実施例１に係るガイド情報を説明するための図である。
【図９】図９は、実施例１に係るガイド情報を説明するための図である。
【図１０】図１０は、実施例２に係る超音波プローブを説明するための図である。
【図１１】図１１は、実施例２に係る穿刺アダプタを説明するための図である。
【図１２】図１２は、実施例２に係る穿刺アダプタの装着を説明するための図である。
【図１３】図１３は、実施例２に係るガイド情報を説明するための図である。
【図１４】図１４は、実施例２に係るガイド情報を説明するための図である。
【図１５】図１５は、実施例２に係るガイド情報を説明するための図である。
【図１６】図１６は、実施例２に係るガイド情報を説明するための図である。
【図１７】図１７は、実施例３に係る超音波プローブ及び穿刺アダプタを説明するための図である。
【図１８】図１８は、実施例３に係る穿刺アダプタの装着を説明するための図である。
【図１９】図１９は、実施例３に係るガイド情報を説明するための図である。
【図２０】図２０は、実施例３に係るガイド情報を説明するための図である。
【図２１】図２１は、実施例３に係るガイド情報を説明するための図である。
【図２２】図２２は、実施例３に係るガイド情報を説明するための図である。
【図２３】図２３は、実施例４に係る超音波プローブ及び穿刺アダプタを説明するための図である。
【図２４】図２４は、実施例４に係る穿刺アダプタの装着を説明するための図である。
【図２５】図２５は、実施例４に係るガイド情報を説明するための図である。
【図２６】図２６は、実施例４に係るガイド情報を説明するための図である。
【図２７】図２７は、実施例４に係るガイド情報を説明するための図である。
【図２８】図２８は、実施例４に係るガイド情報を説明するための図である。
【図２９】図２９は、実施例４に係るガイド情報を説明するための図である。
【図３０】図３０は、実施例４に係るガイド情報を説明するための図である。
【図３１】図３１は、実施例４に係るガイド情報を説明するための図である。
【図３２】図３２は、実施例４に係るガイド情報を説明するための図である。
【発明を実施するための形態】
【００１０】
以下に、本発明に係る超音波プローブの実施例を説明する。なお、以下の実施例により本発明が限定されるものではない。
【実施例１】
【００１１】
まず、図１を用いて、実施例１に係る超音波プローブ１０の外観を説明する。図１は、実施例１に係る超音波プローブ１０の外観を示す図である。実施例１に係る超音波プローブ１０は、体腔内用の超音波プローブであり、図１に例示するように、挿入部及びグリップ部を有する本体部と、ケーブル部と、コネクタ部とを備える。
【００１２】
本体部は、挿入部の先端にハウジング部を有する。ハウジング部は、電気信号を超音波に変換し、変換した超音波を被検体に対して送波する。また、ハウジング部は、反射波を受波し、受波した超音波を電気信号に変換する。挿入部は、体腔内に挿入され、グリップ部は、操作者によって保持される。ケーブル部は、超音波プローブ１０と超音波診断装置との間で電気信号を送受信し、コネクタ部は、超音波プローブ１０と超音波診断装置とを接続する。
【００１３】
ここで、符号ａは、本体部に設けられた穿刺アダプタ固定用の溝（以下、穿刺アダプタ固定溝）を示す。実施例１に係る超音波プローブ１０は、超音波プローブ１０と、後述する穿刺アダプタ１１とを嵌合させる嵌合部として、図１に例示するように、１側面に、穿刺アダプタ固定溝ａを２箇所有する。なお、実施例１に係る超音波プローブ１０は、図１には現れていない反対側の側面にも同様に、穿刺アダプタ固定溝ａを２箇所有し、合計４箇所の穿刺アダプタ固定溝ａを有する。
【００１４】
図２は、実施例１に係る超音波プローブ１０を説明するための図である。図２に例示する超音波プローブ１０は、図１を用いて説明した超音波プローブ１０と同一である。図３は、実施例１に係る穿刺アダプタ１１を説明するための図である。
【００１５】
ここで、符号ｂは、超音波プローブ１０と穿刺アダプタ１１とを嵌合させる嵌合部として穿刺アダプタ１１に設けられた突起を示す。もっとも、穿刺アダプタ１１に設けられた突起ｂは、実際には穿刺アダプタ１１の内側に設けられており、図３においては図示されていない。突起ｂは、超音波プローブ１０に設けられた４箇所の穿刺アダプタ固定溝ａのうち、図１に図示された本体部先端側の穿刺アダプタ固定溝ａに嵌合する。なお、穿刺アダプタ１１は、図３には現れてない反対側の側面内側にも同様に、突起ｂを有し、合計２箇所の突起ｂを有する。
【００１６】
また、符号ｃは、超音波プローブ１０と穿刺アダプタ１１とを嵌合させる嵌合部として穿刺アダプタ１１に設けられた突起を示す。もっとも、穿刺アダプタ１１に設けられた突起ｃは、実際には穿刺アダプタ１１の内側に設けられており、図３においては図示されていない。突起ｃは、超音波プローブ１０に設けられた４箇所の穿刺アダプタ固定溝ａのうち、図１に図示されたグリップ部側の穿刺アダプタ固定溝ａに嵌合する。なお、穿刺アダプタ１１は、図３には現れてない反対側の側面内側にも同様に、突起ｃを有し、合計２箇所の突起ｃを有する。
【００１７】
図４及び図５は、実施例１に係る穿刺アダプタ１１の装着を説明するための図である。実施例１において、穿刺アダプタ１１の装着は、超音波プローブ１０をシースで覆った上で、超音波プローブ１０に設けられた合計４箇所の穿刺アダプタ固定溝ａと、穿刺アダプタ１１に設けられた合計４箇所の突起ｂ及び突起ｃとをそれぞれ嵌合させることで行われる。例えば、図４に例示するように、まず、本体部先端側の穿刺アダプタ固定溝ａに穿刺アダプタ１１の突起ｂを嵌合させ、次に、図５に例示するように、グリップ部側の穿刺アダプタ固定溝ａに穿刺アダプタ１１の突起ｃを嵌合させる。
【００１８】
なお、装着の手順について一例を簡単に説明すると、まず、操作者は、超音波プローブ１０のハウジング部に、超音波ゲルを塗布する。次に、操作者は、超音波プローブ１０をシースに挿入する。そして、操作者は、上述したように、超音波プローブ１０に設けられた合計４箇所の穿刺アダプタ固定溝ａと、穿刺アダプタ１１に設けられた合計４箇所の突起ｂ及び突起ｃとをそれぞれ嵌合させ、超音波プローブ１０に穿刺アダプタ１１を装着する。
【００１９】
ところで、従来の超音波プローブでは、超音波プローブをシースで覆うことにより、超音波プローブに設けられた嵌合部の視認性が低下する結果、穿刺アダプタを装着する際の操作性が低下していた。超音波プローブは、例えば白色を基調とする色であることが多いが、シースが、白色である場合も、あるいは、着色されている場合も、超音波プローブに設けられた嵌合部の視認性は低下してしまう。この点、実施例１に係る超音波プローブ１０は、嵌合を誘導するための誘導情報（以下、ガイド情報）が、嵌合を行う操作者に対して提示されるように付されることで、嵌合部の視認性を向上し、穿刺アダプタ１１を装着する際の操作性を向上する。
【００２０】
［ガイド情報］
図６〜９を用いて、実施例１に係るガイド情報を説明する。図６〜９は、実施例１に係るガイド情報を説明するための図である。実施例１に係る超音波プローブ１０は、例えば、図６に例示するように、ガイド情報として、穿刺アダプタ固定溝ａ又は穿刺アダプタ固定溝ａ近傍の領域を、超音波プローブ１０の色とは異なる色で着色する。例えば、図６の（Ａ）は、穿刺アダプタ固定溝ａ内部を超音波プローブ１０の色とは異なる色で塗り潰した例である。また、例えば、図６の（Ｂ）は、穿刺アダプタ固定溝ａを超音波プローブ１０の色とは異なる色で縁取りした例である。また、例えば、図６の（Ｃ）は、穿刺アダプタ固定溝ａ近傍の領域を超音波プローブ１０の色とは異なる色で塗った例である。
【００２１】
なお、図６においては、説明の便宜上、具体的な着色を例示していないが、超音波プローブ１０の色とは異なる色であれば、どのような色を選択してもよく、また、複数の色を組み合わせてもよい。もっとも、医学的に特定の意味を有する色以外の色を選択することが望ましい。すなわち、例えば赤色は、医学的には、血液を意味するとされ、例えば緑色は、医学的には、滅菌済みであることを意味するとされる。このような医学的に特定の意味を有する色を選択すると、操作者に誤解を与えるおそれがあるので、医学的に特定の意味を有する色以外の色を選択することが望ましい。
【００２２】
次に、実施例１に係る超音波プローブ１０は、例えば、図７に例示するように、ガイド情報として、穿刺アダプタ固定溝ａ又は穿刺アダプタ固定溝ａ近傍の領域に、超音波プローブ１０の色とは異なる色の印を付す。例えば、図７の（Ａ）は、超音波プローブ１０の側面に穿刺アダプタ固定溝ａを指し示す矢印を付した例である。また、例えば、図７の（Ｂ）は、超音波プローブ１０の上面に、穿刺アダプタ固定溝ａの位置を示唆する矢印を付した例である。すなわち、超音波プローブ１０の上面は、超音波プローブ１０の外面のうち、穿刺アダプタ１１の装着の際、操作者に視認されやすい面であるといえる。このような面に、図７の（Ｂ）に例示するような矢印を付することで、矢印の指し示す先の側面に穿刺アダプタ固定溝ａが４箇所存在することを、操作者に示唆することができる。
【００２３】
なお、図７の（Ａ）と（Ｂ）とを組合せてもよい。また、矢印は、図７に例示した矢印に限られず、塗り潰されていない縁取りだけの矢印でもよいし、また、矢印線でもよい。また、着色については、図６と同様、超音波プローブ１０の色とは異なる色であれば、どのような色を選択してもよく、また、複数の色を組み合わせてもよいが、医学的に特定の意味を有する色以外の色を選択することが望ましい。
【００２４】
次に、実施例１に係る超音波プローブ１０は、例えば、図８に例示するように、ガイド情報として、超音波プローブ１０と穿刺アダプタ１１とが嵌合された状態を表現する情報を、超音波プローブ１０の色とは異なる色で付す。例えば、図８は、超音波プローブ１０の側面に、超音波プローブ１０に装着された状態の穿刺アダプタ１１の線画を描いた例である。図８に例示するように、穿刺アダプタ１１の線画を描いた結果、穿刺アダプタ固定溝ａが線画によって囲まれることになるので、穿刺アダプタ固定溝ａの位置を示すことにもなる。
【００２５】
次に、実施例１に係る超音波プローブ１０は、例えば、図９に例示するように、ガイド情報として、穿刺アダプタ１１が穿刺アダプタ固定溝ａに嵌合される際の超音波プローブ１０上における穿刺アダプタ１１の位置を示す情報を、超音波プローブ１０の色とは異なる色で付す。例えば、図９の（Ａ）は、超音波プローブ１０の側面のうち上面寄りに１本の横線を付した例である。すなわち、操作者が超音波プローブ１０を側面から観察した場合には、上面側に穿刺アダプタ１１が装着されることを、操作者に示唆することができる。また、例えば、図９の（Ｂ）は、超音波プローブ１０の上面のうち側面寄りに、１本ずつの横線を付した例である。すなわち、操作者が超音波プローブ１０を上面から観察した場合には、上面側に穿刺アダプタ１１が装着されること、かつ、側面に穿刺アダプタ固定溝ａが存在することを、操作者に示唆することができる。
【００２６】
なお、図９の（Ａ）と（Ｂ）とを組合せてもよい。また、横線は、図９に例示した横線に限られず、細線であってもよいし、また、線の数が異なってもよい。例えば、図９の（Ｃ）及び（Ｄ）に例示するように、上面を幅広く塗り潰すような１本線であってもよい。また、着色については、図６と同様、超音波プローブ１０の色とは異なる色であれば、どのような色を選択してもよく、また、複数の色を組み合わせてもよいが、医学的に特定の意味を有する色以外の色を選択することが望ましい。
【００２７】
なお、図６〜９には図示しなかったが、嵌合の順番を併せて付してもよい。すなわち、実施例１に係る超音波プローブ１０の場合、例えば、図４及び図５を用いて説明したように、まず、本体部先端側の穿刺アダプタ固定溝ａに穿刺アダプタ１１の突起ｂを嵌合させてから、次に、グリップ部側の穿刺アダプタ固定溝ａに穿刺アダプタ１１の突起ｃを嵌合させる、といった嵌合の順番がある。このような順番を提示する目的で、穿刺アダプタ固定溝ａ又は穿刺アダプタ固定溝ａ近傍の領域に、例えば『１』、『２』といった数字を付したり、１本線、２本線といった印を付したりしてもよい。
【実施例２】
【００２８】
次に、実施例２を説明する。実施例２に係る超音波プローブ２０は、実施例１と同様、体腔内用の超音波プローブであり、挿入部及びグリップ部を有する本体部と、ケーブル部と、コネクタ部とを備えるが、実施例１のものとは形状がやや異なる。
【００２９】
図１０は、実施例２に係る超音波プローブ２０を説明するための図である。符号ｄは、本体部に設けられた穿刺アダプタ固定溝を示す。実施例２に係る超音波プローブ２０は、超音波プローブ２０と、後述する穿刺アダプタ２１とを嵌合させる嵌合部として、図１０に例示するように、１側面に、穿刺アダプタ固定溝ｄを２箇所有する。なお、実施例２に係る超音波プローブ２０は、図１０には現れていない反対側の側面にも同様に、穿刺アダプタ固定溝ｄを２箇所有し、合計４箇所の穿刺アダプタ固定溝ｄを有する。
【００３０】
図１１は、実施例２に係る穿刺アダプタ２１を説明するためのである。ここで、符号ｅは、超音波プローブ２０と穿刺アダプタ２１とを嵌合させる嵌合部として穿刺アダプタ２１に設けられた突起を示す。もっとも、穿刺アダプタ２１に設けられた突起ｅは、実際には穿刺アダプタ２１の内側に設けられており、図１１においては図示されていない。突起ｅは、超音波プローブ２０に設けられた４箇所の穿刺アダプタ固定溝ｄのうち、本体部先端側の穿刺アダプタ固定溝ｄに嵌合する。なお、穿刺アダプタ２１は、図１１には現れてない反対側の側面内側にも同様に、突起ｅを有し、合計２箇所の突起ｅを有する。
【００３１】
また、符号ｆは、超音波プローブ２０と穿刺アダプタ２１とを嵌合させる嵌合部として穿刺アダプタ２１に設けられた突起を示す。もっとも、穿刺アダプタ２１に設けられた突起ｆは、実際には穿刺アダプタ２１の内側に設けられており、図１１においては図示されていない。突起ｆは、超音波プローブ２０に設けられた４箇所の穿刺アダプタ固定溝ｄのうち、グリップ部側の穿刺アダプタ固定溝ｄに嵌合する。なお、穿刺アダプタ２１は、図１１には現れてない反対側の側面内側にも同様に、突起ｆを有し、合計２箇所の突起ｆを有する。
【００３２】
図１２は、実施例２に係る穿刺アダプタ２１の装着を説明するための図である。実施例２において、穿刺アダプタ２１の装着は、超音波プローブ１０をシースで覆った上で、超音波プローブ１０に設けられた合計４箇所の穿刺アダプタ固定溝ｄと、穿刺アダプタ２１に設けられた合計４箇所の突起ｅ及び突起ｆとをそれぞれ嵌合させることで行われる。例えば、図１２の（Ａ）に例示するように、まず、本体部先端側の穿刺アダプタ固定溝ｄに穿刺アダプタ２１の突起ｅを嵌合させ、次に、図１２の（Ｂ）に例示するように、グリップ部側の穿刺アダプタ固定溝ｄに穿刺アダプタ２１の突起ｆを嵌合させる。
【００３３】
［ガイド情報］
図１３〜１６を用いて、実施例２に係るガイド情報を説明する。図１３〜１６は、実施例２に係るガイド情報を説明するための図である。実施例２に係る超音波プローブ２０は、例えば、図１３に例示するように、ガイド情報として、穿刺アダプタ固定溝ｄ又は穿刺アダプタ固定溝ｄ近傍の領域を、超音波プローブ２０の色とは異なる色で着色する。例えば、図１３の（Ａ）は、穿刺アダプタ固定溝ｄ内部を超音波プローブ２０の色とは異なる色で塗り潰した例である。また、例えば、図１３の（Ｂ）は、穿刺アダプタ固定溝ｄを超音波プローブ２０の色とは異なる色で縁取りした例である。また、例えば、図１３の（Ｃ）は、穿刺アダプタ固定溝ｄ近傍の領域を超音波プローブ２０の色とは異なる色で塗った例である。
【００３４】
なお、図１３においては、説明の便宜上、具体的な着色を例示していないが、超音波プローブ２０の色とは異なる色であれば、どのような色を選択してもよく、また、複数の色を組み合わせてもよい。もっとも、医学的に特定の意味を有する色を選択すると、操作者に誤解を与えるおそれがあるので、医学的に特定の意味を有する色以外の色を選択することが望ましい。
【００３５】
次に、実施例２に係る超音波プローブ２０は、例えば、図１４に例示するように、ガイド情報として、穿刺アダプタ固定溝ｄ又は穿刺アダプタ固定溝ｄ近傍の領域に、超音波プローブ２０の色とは異なる色の印を付す。例えば、図１４の（Ａ）は、超音波プローブ２０の側面に穿刺アダプタ固定溝ｄを指し示す矢印を付した例である。また、例えば、図１４の（Ｂ）は、超音波プローブ２０の上面に、穿刺アダプタ固定溝ｄの位置を示唆する矢印を付した例である。すなわち、超音波プローブ２０の上面は、超音波プローブ２０の外面のうち、穿刺アダプタ２１の装着の際、操作者に視認されやすい面であるといえる。このような面に、図１４の（Ｂ）に例示するような矢印を付することで、矢印の指し示す先の側面に穿刺アダプタ固定溝ｄが４箇所存在することを、操作者に示唆することができる。
【００３６】
なお、図１４の（Ａ）と（Ｂ）とを組合せてもよい。また、矢印は、図１４に例示した矢印に限られず、塗り潰されていない縁取りだけの矢印でもよいし、また、矢印線でもよい。また、着色については、図１３と同様、超音波プローブ２０の色とは異なる色であれば、どのような色を選択してもよく、また、複数の色を組み合わせてもよいが、医学的に特定の意味を有する色以外の色を選択することが望ましい。
【００３７】
次に、実施例２に係る超音波プローブ２０は、例えば、図１５に例示するように、ガイド情報として、超音波プローブ２０と穿刺アダプタ２１とが嵌合された状態を表現する情報を、超音波プローブ２０の色とは異なる色で付す。例えば、図１５は、超音波プローブ２０の側面に、超音波プローブ２０に装着された状態の穿刺アダプタ２１の線画を描いた例である。図１５に例示するように、穿刺アダプタ２１の線画を描いた結果、穿刺アダプタ固定溝ｄが線画によって囲まれることになるので、穿刺アダプタ固定溝ｄの位置を示すことにもなる。
【００３８】
次に、実施例２に係る超音波プローブ２０は、例えば、図１６に例示するように、ガイド情報として、穿刺アダプタ２１が穿刺アダプタ固定溝ｄに嵌合される際の超音波プローブ２０上における穿刺アダプタ２１の位置を示す情報を、超音波プローブ２０の色とは異なる色で付す。例えば、図１６の（Ａ）は、超音波プローブ２０の側面のうち上面寄りに１本の横線を付した例である。すなわち、操作者が超音波プローブ２０を側面から観察した場合には、上面側に穿刺アダプタ２１が装着されることを、操作者に示唆することができる。また、例えば、図１６の（Ｂ）は、超音波プローブ２０の上面のうち側面寄りに、１本ずつの横線を付した例である。すなわち、操作者が超音波プローブ２０を上面から観察した場合には、上面側に穿刺アダプタ２１が装着されること、かつ、側面に穿刺アダプタ固定溝ｄが存在することを、操作者に示唆することができる。
【００３９】
なお、図１６の（Ａ）と（Ｂ）とを組合せてもよい。また、横線は、図１６に例示した横線に限られず、細線であってもよいし、また、線の数が異なってもよい。例えば、上面を幅広く塗り潰すような１本線であってもよい。また、着色については、図１３と同様、超音波プローブ２０の色とは異なる色であれば、どのような色を選択してもよく、また、複数の色を組み合わせてもよいが、医学的に特定の意味を有する色以外の色を選択することが望ましい。
【００４０】
なお、図１３〜１６には図示しなかったが、嵌合の順番を併せて付してもよい。すなわち、実施例２に係る超音波プローブ２０の場合、例えば、図１２を用いて説明したように、まず、本体部先端側の穿刺アダプタ固定溝ｄに穿刺アダプタ２１の突起ｅを嵌合させてから、次に、グリップ部側の穿刺アダプタ固定溝ｄに穿刺アダプタ２１の突起ｆを嵌合させる、といった嵌合の順番がある。このような順番を提示する目的で、穿刺アダプタ固定溝ｄ又は穿刺アダプタ固定溝ｄ近傍の領域に、例えば『１』、『２』といった数字を付したり、１本線、２本線といった印を付したりしてもよい。
【実施例３】
【００４１】
次に、実施例３を説明する。実施例３に係る超音波プローブ３０は、一般的な超音波プローブである。実施例３に係る超音波プローブ３０は、実施例１と同様、挿入部及びグリップ部を有する本体部と、ケーブル部と、コネクタ部とを備えるが、実施例１のものとは形状がやや異なる。
【００４２】
図１７は、実施例３に係る超音波プローブ３０及び穿刺アダプタ３１を説明するための図である。図１７の（Ｂ）は、実施例３に係る超音波プローブ３０である。符号ｇは、本体部に設けられた穿刺アダプタ固定用の突起（以下、穿刺アダプタ固定突起）を示す。実施例３に係る超音波プローブ３０は、超音波プローブ３０と、後述する穿刺アダプタ３１とを嵌合させる嵌合部として、図１７の（Ｂ）に例示するように、１側面に、穿刺アダプタ固定突起ｇを１箇所有し、合計２箇所の穿刺アダプタ固定突起ｇを有する。
【００４３】
図１７の（Ａ）は、実施例３に係る超音波プローブ３０に装着される穿刺アダプタ３１である。ここで、符号ｈ及び符号ｉは、超音波プローブ３０と穿刺アダプタ３１とを嵌合させる嵌合部として穿刺アダプタ３１に設けられた凹部を示す。穿刺アダプタ３１に設けられた凹部は、穿刺アダプタ３１の内側に設けられている。
【００４４】
図１８は、実施例３に係る穿刺アダプタ３１の装着を説明するための図である。実施例３において、穿刺アダプタ３１の装着は、超音波プローブ３０をシースで覆った上で、超音波プローブ３０に設けられた合計２箇所の穿刺アダプタ固定突起ｇと、穿刺アダプタ３１に設けられた合計２箇所の凹部ｈ及び凹部ｉとをそれぞれ嵌合させることで行われる。例えば、図１８の（Ａ）に例示するように、まず、本体部右側の穿刺アダプタ固定突起ｇに穿刺アダプタ３１の凹部ｈを嵌合させ、次に、本体部左側の穿刺アダプタ固定突起ｇに穿刺アダプタ３１の凹部ｉを嵌合させる。すると、図１８の（Ｂ）に例示するように、超音波プローブ３０に穿刺アダプタ３１が装着される。
【００４５】
［ガイド情報］
図１９〜２２を用いて、実施例３に係るガイド情報を説明する。図１９〜２２は、実施例３に係るガイド情報を説明するための図である。なお、図１９は、実施例３に係る超音波プローブ３０を、図１８の（Ａ）に示す白抜きの矢印方向から観察した様子を示すものである。実施例３に係る超音波プローブ３０は、例えば、図１９に例示するように、ガイド情報として、穿刺アダプタ固定突起ｇ又は穿刺アダプタ固定突起ｇ近傍の領域を、超音波プローブ３０の色とは異なる色で着色する。例えば、図１９の（Ａ）は、穿刺アダプタ固定突起ｇの表面を超音波プローブ３０の色とは異なる色で塗り潰した例である。また、例えば、図１９の（Ｂ）は、穿刺アダプタ固定突起ｇを超音波プローブ３０の色とは異なる色で縁取りした例である。また、例えば、図１９の（Ｃ）は、穿刺アダプタ固定突起ｇ近傍の領域を超音波プローブ３０の色とは異なる色で塗った例である。
【００４６】
なお、図１９においては、説明の便宜上、具体的な着色を例示していないが、超音波プローブ３０の色とは異なる色であれば、どのような色を選択してもよく、また、複数の色を組み合わせてもよい。もっとも、医学的に特定の意味を有する色を選択すると、操作者に誤解を与えるおそれがあるので、医学的に特定の意味を有する色以外の色を選択することが望ましい。
【００４７】
次に、実施例３に係る超音波プローブ３０は、例えば、図２０に例示するように、ガイド情報として、穿刺アダプタ固定突起ｇ又は穿刺アダプタ固定突起ｇ近傍の領域に、超音波プローブ３０の色とは異なる色の印を付す。例えば、図２０の（Ａ）は、超音波プローブ３０の側面に穿刺アダプタ固定突起ｇを指し示す矢印を付した例である。なお、図２０の（Ａ）は、実施例３に係る超音波プローブ３０を、図２０の（Ｂ）に示す白抜きの矢印方向から観察した様子を示すものである。また、例えば、図２０の（Ｂ）は、超音波プローブ３０の上面に、穿刺アダプタ固定突起ｇの位置を示唆する矢印を付した例である。すなわち、超音波プローブ３０の上面は、超音波プローブ３０の外面のうち、穿刺アダプタ３１の装着の際、操作者に視認されやすい面であるといえる。このような面に、図２０の（Ｂ）に例示するような矢印を付することで、矢印の指し示す先の側面に穿刺アダプタ固定突起ｇが２箇所存在することを、操作者に示唆することができる。
【００４８】
なお、図２０の（Ａ）と（Ｂ）とを組合せてもよい。また、矢印は、図２０に例示した矢印に限られず、塗り潰されていない縁取りだけの矢印でもよいし、また、矢印線でもよい。また、着色については、図１９と同様、超音波プローブ３０の色とは異なる色であれば、どのような色を選択してもよく、また、複数の色を組み合わせてもよいが、医学的に特定の意味を有する色以外の色を選択することが望ましい。
【００４９】
次に、実施例３に係る超音波プローブ３０は、例えば、図２１に例示するように、ガイド情報として、超音波プローブ３０と穿刺アダプタ３１とが嵌合された状態を表現する情報を、超音波プローブ３０の色とは異なる色で付す。例えば、図２１の（Ａ）は、超音波プローブ３０の側面に、超音波プローブ３０に装着された状態の穿刺アダプタ３１の線画を描いた例である。図２１の（Ａ）に例示するように、穿刺アダプタ３１の線画を描いた結果、穿刺アダプタ固定突起ｇが線画によって囲まれることになるので、穿刺アダプタ固定突起ｇの位置を示すことにもなる。なお、図２１の（Ａ）は、実施例３に係る超音波プローブ３０を、図２１の（Ｂ）に示す白抜きの矢印方向から観察した様子を示すものである。また、例えば、図２１の（Ｂ）は、超音波プローブ３０の上面に、超音波プローブ３０に装着された状態の穿刺アダプタ３１の線画を描いた例である。
【００５０】
次に、実施例３に係る超音波プローブ３０は、例えば、図２２に例示するように、ガイド情報として、穿刺アダプタ３１が穿刺アダプタ固定突起ｇに嵌合される際の超音波プローブ３０上における穿刺アダプタ３１の位置を示す情報を、超音波プローブ３０の色とは異なる色で付す。例えば、図２２の（Ａ）は、超音波プローブ３０の側面のうち先端寄りを塗り潰した例である。すなわち、操作者が超音波プローブ３０を側面から観察した場合には、先端側から穿刺アダプタ３１が装着されることを、操作者に示唆することができる。なお、図２２の（Ａ）は、実施例３に係る超音波プローブ３０を、図２２の（Ｂ）に示す白抜きの矢印方向から観察した様子を示すものである。また、例えば、図２２の（Ｂ）は、超音波プローブ３０の上面のうち先端寄りを塗り潰した例である。すなわち、操作者が超音波プローブ３０を上面から観察した場合には、先端側に穿刺アダプタ３１が装着されることを、操作者に示唆することができる。
【００５１】
なお、図２２の（Ａ）と（Ｂ）とを組合せてもよい。また、図２２に例示した塗り潰しに限られず、例えば線であってもよい。また、着色については、図１９と同様、超音波プローブ３０の色とは異なる色であれば、どのような色を選択してもよく、また、複数の色を組み合わせてもよいが、医学的に特定の意味を有する色以外の色を選択することが望ましい。
【００５２】
なお、図１９〜２２には図示しなかったが、嵌合の順番を併せて付してもよい。すなわち、実施例３に係る超音波プローブ３０の場合、例えば、図１８を用いて説明したように、まず、本体部右側の穿刺アダプタ固定突起ｇに穿刺アダプタ３１の凹部ｈを嵌合させてから、次に、本体部左側の穿刺アダプタ固定突起ｇに穿刺アダプタ３１の凹部ｉを嵌合させる、といった嵌合の順番がある。このような順番を提示する目的で、穿刺アダプタ固定突起ｇ又は穿刺アダプタ固定突起ｇ近傍の領域に、例えば『１』、『２』といった数字を付したり、１本線、２本線といった印を付したりしてもよい。
【実施例４】
【００５３】
次に、実施例４を説明する。実施例４に係る超音波プローブ４０及び超音波プローブ４５は、一般的な超音波プローブである。実施例４に係る超音波プローブ４０及び超音波プローブ４５は、実施例１と同様、挿入部及びグリップ部を有する本体部と、ケーブル部と、コネクタ部とを備えるが、実施例１のものとは形状がやや異なる。
【００５４】
図２３は、実施例４に係る超音波プローブ４０、超音波プローブ４５、及び穿刺アダプタ４１を説明するための図である。図２３の（Ｂ）は、実施例４に係る超音波プローブ４０である。符号ｋは、本体部に設けられた穿刺アダプタ固定突起を示す。実施例４に係る超音波プローブ４０は、超音波プローブ４０と、後述する穿刺アダプタ４１とを嵌合させる嵌合部として、図２３の（Ｂ）に例示するように、合計４箇所の穿刺アダプタ固定突起ｋを有する。
【００５５】
また、図２３の（Ｃ）は、実施例４に係る超音波プローブ４５である。符号ｌは、本体部に設けられた穿刺アダプタ固定突起を示す。実施例４に係る超音波プローブ４５は、超音波プローブ４５と、後述する穿刺アダプタ４１とを嵌合させる嵌合部として、図２３の（Ｃ）に例示するように、合計２箇所の穿刺アダプタ固定突起ｌを有する。
【００５６】
図２３の（Ａ）は、実施例４に係る超音波プローブ４０又は超音波プローブ４５に装着される穿刺アダプタ４１である。ここで、符号ｍは、超音波プローブ４０又は超音波プローブ４５と穿刺アダプタ４１とを嵌合させる嵌合部として穿刺アダプタ４１に設けられた凹部を示す。穿刺アダプタ４１に設けられた凹部ｍは、穿刺アダプタ４１の内側に設けられている。なお、符号ｎは、固定用ツマミである。
【００５７】
図２４は、実施例４に係る穿刺アダプタ４１の装着を説明するための図である。実施例４において、穿刺アダプタ４１の装着は、超音波プローブ４０又は超音波プローブ４５をシースで覆った上で、超音波プローブ４０に設けられた穿刺アダプタ固定突起ｋ、又は、超音波プローブ４５に設けられた穿刺アダプタ固定突起ｌと、穿刺アダプタ４１に設けられた凹部ｍとをそれぞれ嵌合させることで行われる。
【００５８】
図２４の（Ａ）に例示するように、超音波プローブ４０には２つの穿刺アダプタ４１を装着することができる。例えば、超音波プローブ４０の場合、まず、穿刺アダプタ４１の凹部ｍに超音波プローブ４０の穿刺アダプタ固定突起ｋの一方を嵌合させ、次に、穿刺アダプタ４１の固定ツマミｎを回すことで、穿刺アダプタ４１の内側を他方の穿刺アダプタ固定突起ｋに圧着させ、固定させる。超音波プローブ４０の場合、このような装着を２箇所について行うことができる。
【００５９】
また、図２４の（Ｂ）に例示するように、超音波プローブ４５には１つの穿刺アダプタ４１を装着することができる。例えば、超音波プローブ４５の場合、まず、穿刺アダプタ４１の凹部ｍに超音波プローブ４５の穿刺アダプタ固定突起ｌの一方を嵌合させ、次に、穿刺アダプタ４１の固定ツマミｎを回すことで、穿刺アダプタ４１の内側を他方の穿刺アダプタ固定突起ｌに圧着させ、固定させる。
【００６０】
［ガイド情報］
図２５〜３２を用いて、実施例４に係るガイド情報を説明する。図２５〜３２は、実施例４に係るガイド情報を説明するための図である。まず、図２５〜２８を用いて、実施例４に係る超音波プローブ４０を説明する。実施例４に係る超音波プローブ４０は、例えば、図２５に例示するように、ガイド情報として、穿刺アダプタ固定突起ｋ又は穿刺アダプタ固定突起ｋ近傍の領域を、超音波プローブ４０の色とは異なる色で着色する。例えば、図２５の（Ａ）は、穿刺アダプタ固定突起ｋ表面を超音波プローブ４０の色とは異なる色で塗り潰した例である。また、例えば、図２５の（Ｂ）は、穿刺アダプタ固定突起ｋを超音波プローブ４０の色とは異なる色で縁取りした例である。また、例えば、図２５の（Ｃ）は、穿刺アダプタ固定突起ｋ近傍の領域を超音波プローブ４０の色とは異なる色で塗った例である。
【００６１】
なお、図２５においては、説明の便宜上、具体的な着色を例示していないが、超音波プローブ４０の色とは異なる色であれば、どのような色を選択してもよく、また、複数の色を組み合わせてもよい。もっとも、医学的に特定の意味を有する色を選択すると、操作者に誤解を与えるおそれがあるので、医学的に特定の意味を有する色以外の色を選択することが望ましい。
【００６２】
次に、実施例４に係る超音波プローブ４０は、例えば、図２６に例示するように、ガイド情報として、穿刺アダプタ固定突起ｋ又は穿刺アダプタ固定突起ｋ近傍の領域に、超音波プローブ４０の色とは異なる色の印を付す。例えば、図２６の（Ａ）は、超音波プローブ４０の側面に穿刺アダプタ固定突起ｋを指し示す矢印を付した例である。また、例えば、図２６の（Ｂ）は、超音波プローブ４０の上面に、穿刺アダプタ固定突起ｋの位置を示唆する矢印を付した例である。すなわち、超音波プローブ４０の上面は、超音波プローブ４０の外面のうち、穿刺アダプタ４１の装着の際、操作者に視認されやすい面であるといえる。このような面に、図２６の（Ｂ）に例示するような矢印を付することで、矢印の指し示す先の側面に穿刺アダプタ固定突起ｋが４箇所存在することを、操作者に示唆することができる。
【００６３】
なお、図２６の（Ａ）と（Ｂ）とを組合せてもよい。また、矢印は、図２６に例示した矢印に限られず、塗り潰されていない縁取りだけの矢印でもよいし、また、矢印線でもよい。また、着色については、図２５と同様、超音波プローブ４０の色とは異なる色であれば、どのような色を選択してもよく、また、複数の色を組み合わせてもよいが、医学的に特定の意味を有する色以外の色を選択することが望ましい。
【００６４】
次に、実施例４に係る超音波プローブ４０は、例えば、図２７に例示するように、ガイド情報として、超音波プローブ４０と穿刺アダプタ４１とが嵌合された状態を表現する情報を、超音波プローブ４０の色とは異なる色で付す。例えば、図２７は、超音波プローブ４０の側面に、超音波プローブ４０に装着された状態の穿刺アダプタ４１の線画を描いた例である。図２７に例示するように、穿刺アダプタ４１の線画を描いた結果、穿刺アダプタ固定突起ｋが線画によって囲まれることになるので、穿刺アダプタ固定突起ｋの位置を示すことにもなる。また、固定ツマミｎが位置付けられる側には固定ツマミｎの線画を描くことで、穿刺アダプタ４１を装着する向きも、操作者に示唆することができる。
【００６５】
次に、実施例４に係る超音波プローブ４０は、例えば、図２８に例示するように、ガイド情報として、穿刺アダプタ４１が穿刺アダプタ固定突起ｋに嵌合される際の超音波プローブ４０上における穿刺アダプタ４１の位置を示す情報を、超音波プローブ４０の色とは異なる色で付す。例えば、図２８の（Ａ）は、超音波プローブ４０の正面側の側面のうち両端を塗り潰した例である。すなわち、操作者が超音波プローブ４０を正面側の側面から観察した場合には、両端から穿刺アダプタ４１が装着されることを、操作者に示唆することができる。また、例えば、図２８の（Ｂ）は、超音波プローブ４０の上面のうち両端を塗り潰した例である。すなわち、操作者が超音波プローブ４０を上面から観察した場合には、両端に穿刺アダプタ４１が装着されることを、操作者に示唆することができる。
【００６６】
なお、図２８の（Ａ）と（Ｂ）とを組合せてもよい。また、図２８に例示した塗り潰しに限られず、例えば線であってもよい。また、着色については、図２５と同様、超音波プローブ４０の色とは異なる色であれば、どのような色を選択してもよく、また、複数の色を組み合わせてもよいが、医学的に特定の意味を有する色以外の色を選択することが望ましい。
【００６７】
続いて、実施例４に係る超音波プローブ４５の場合を説明する。実施例４に係る超音波プローブ４５は、例えば、図２９に例示するように、ガイド情報として、穿刺アダプタ固定突起ｌ又は穿刺アダプタ固定突起ｌ近傍の領域を、超音波プローブ４５の色とは異なる色で着色する。例えば、図２９の（Ａ）は、穿刺アダプタ固定突起ｌの表面を超音波プローブ４５の色とは異なる色で塗り潰した例である。また、例えば、図２９の（Ｂ）は、穿刺アダプタ固定突起ｌを超音波プローブ４５の色とは異なる色で縁取りした例である。また、例えば、図２９の（Ｃ）は、穿刺アダプタ固定突起ｌ近傍の領域を超音波プローブ４５の色とは異なる色で塗った例である。
【００６８】
なお、図２９においては、説明の便宜上、具体的な着色を例示していないが、超音波プローブ４５の色とは異なる色であれば、どのような色を選択してもよく、また、複数の色を組み合わせてもよい。もっとも、医学的に特定の意味を有する色を選択すると、操作者に誤解を与えるおそれがあるので、医学的に特定の意味を有する色以外の色を選択することが望ましい。
【００６９】
次に、実施例４に係る超音波プローブ４５は、例えば、図３０に例示するように、ガイド情報として、穿刺アダプタ固定突起ｌ又は穿刺アダプタ固定突起ｌ近傍の領域に、超音波プローブ４５の色とは異なる色の印を付す。例えば、図３０の（Ａ）は、超音波プローブ４５の側面に穿刺アダプタ固定突起ｌを指し示す矢印を付した例である。また、例えば、図３０の（Ｂ）は、超音波プローブ４５の上面に、穿刺アダプタ固定突起ｌの位置を示唆する矢印を付した例である。すなわち、超音波プローブ４５の上面は、超音波プローブ４５の外面のうち、穿刺アダプタ４１の装着の際、操作者に視認されやすい面であるといえる。このような面に、図３０の（Ｂ）に例示するような矢印を付することで、矢印の指し示す先の側面に穿刺アダプタ固定突起ｌが２箇所存在することを、操作者に示唆することができる。
【００７０】
なお、図３０の（Ａ）と（Ｂ）とを組合せてもよい。また、矢印は、図３０に例示した矢印に限られず、塗り潰されていない縁取りだけの矢印でもよいし、また、矢印線でもよい。また、着色については、図２９と同様、超音波プローブ４５の色とは異なる色であれば、どのような色を選択してもよく、また、複数の色を組み合わせてもよいが、医学的に特定の意味を有する色以外の色を選択することが望ましい。
【００７１】
次に、実施例４に係る超音波プローブ４５は、例えば、図３１に例示するように、ガイド情報として、超音波プローブ４５と穿刺アダプタ４１とが嵌合された状態を表現する情報を、超音波プローブ４５の色とは異なる色で付す。例えば、図３１の（Ａ）及び（Ｂ）は、超音波プローブ４５の側面に、超音波プローブ４５に装着された状態の穿刺アダプタ４１の線画を描いた例である。図３１に例示するように、穿刺アダプタ４１の線画を描いた結果、穿刺アダプタ固定突起ｌが線画によって囲まれることになるので、穿刺アダプタ固定突起ｌの位置を示すことにもなる。また、図３１の（Ｂ）に例示するように、固定ツマミｎが位置付けられる側には固定ツマミｎの線画を描くことで、穿刺アダプタ４１を装着する向きも、操作者に示唆することができる。
【００７２】
次に、実施例４に係る超音波プローブ４５は、例えば、図３２に例示するように、ガイド情報として、穿刺アダプタ４１が穿刺アダプタ固定突起ｌに嵌合される際の超音波プローブ４５上における穿刺アダプタ４１の位置を示す情報を、超音波プローブ４５の色とは異なる色で付す。例えば、図３２の（Ａ）は、超音波プローブ４５の側面のうち先端側を塗り潰した例である。すなわち、操作者が超音波プローブ４５を側面から観察した場合には、先端側に穿刺アダプタ４１が装着されることを、操作者に示唆することができる。また、例えば、図３２の（Ｂ）は、超音波プローブ４５の上面のうち先端側を塗り潰した例である。すなわち、操作者が超音波プローブ４５を上面から観察した場合には、先端側に穿刺アダプタ４１が装着されることを、操作者に示唆することができる。
【００７３】
なお、図３２の（Ａ）と（Ｂ）とを組合せてもよい。また、図３２に例示した塗り潰しに限られず、例えば線であってもよい。また、着色については、図２９と同様、超音波プローブ４５の色とは異なる色であれば、どのような色を選択してもよく、また、複数の色を組み合わせてもよいが、医学的に特定の意味を有する色以外の色を選択することが望ましい。
【００７４】
なお、図２５〜３２には図示しなかったが、嵌合の順番を併せて付してもよい。すなわち、実施例４に係る超音波プローブ４０又は超音波プローブ４５の場合、例えば、図２４を用いて説明したように、まず、穿刺アダプタ４１の凹部ｍを嵌合させてから、次に、固定ツマミｎを圧着させる、といった嵌合の順番がある。このような順番を提示する目的で、穿刺アダプタ固定突起又は穿刺アダプタ固定突起近傍の領域を、例えば『１』、『２』といった数字を付したり、１本線、２本線といった印を付したりしてもよい。
【実施例５】
【００７５】
さて、これまで本発明に係る超音波プローブの実施例として実施例１〜４を説明してきたが、本発明はこれに限られるものではなく、種々の異なる形態によって実施されてよいものである。
【００７６】
［超音波プローブの種類］
超音波プローブの種類は、上記実施例において例示したものに限られず、穿刺アダプタが装着されるものであれば、いずれの種類の超音波プローブにも同様に適用することができる。
【００７７】
［ガイド情報の例］
ガイド情報は、上記実施例において例示したものに限られず、着色の範囲、印の種類、嵌合された状態を表現する情報の表現方法など、任意に変更することができる。また、各種のガイド情報を組み合わせて用いてもよい。
【符号の説明】
【００７８】
１０  超音波プローブ
ａ  穿刺アダプタ固定溝
【図１】
2011218016.tif 000003
【図２】
2011218016.tif 000004
【図３】
2011218016.tif 000005
【図４】
2011218016.tif 000006
【図５】
2011218016.tif 000007
【図６】
2011218016.tif 000008
【図７】
2011218016.tif 000009
【図８】
2011218016.tif 000010
【図９】
2011218016.tif 000011
【図１０】
2011218016.tif 000012
【図１１】
2011218016.tif 000013
【図１２】
2011218016.tif 000014
【図１３】
2011218016.tif 000015
【図１４】
2011218016.tif 000016
【図１５】
2011218016.tif 000017
【図１６】
2011218016.tif 000018
【図１７】
2011218016.tif 000019
【図１８】
2011218016.tif 000020
【図１９】
2011218016.tif 000021
【図２０】
2011218016.tif 000022
【図２１】
2011218016.tif 000023
【図２２】
2011218016.tif 000024
【図２３】
2011218016.tif 000025
【図２４】
2011218016.tif 000026
【図２５】
2011218016.tif 000027
【図２６】
2011218016.tif 000028
【図２７】
2011218016.tif 000029
【図２８】
2011218016.tif 000030
【図２９】
2011218016.tif 000031
【図３０】
2011218016.tif 000032
【図３１】
2011218016.tif 000033
【図３２】
2011218016.tif 000034